(57)【要約】【課題】セルフタイマー機能を用いて撮影をするときに、それがノンフラッシュ撮影であっても、被撮影者に対して撮影完了を知らせることのできる撮影装置を提供する。【解決手段】セルフタイマー機能を用いて撮影をする場合には、メニューボタンを押圧操作してディスプレイにセルフタイマー設定画面を表示させる。ユーザは、セルフタイマー設定画面を見ながら十字キー及び決定ボタンを押圧操作して、セルフタイマー機能をＯＮにし、且つ、補助光発光部の発光開始時期を指定する。再度メニューボタンを押圧操作して、ディスプレイにスルー画を表示させ、撮影が可能な状態にする。その後、レリーズボタンを押圧操作すると、その操作から所定時間遅れてシャッタが開口して撮影が行われる。この撮影がノンフラッシュ撮影である場合、シャッタが開口する指定時間前から撮影完了直後までの所定期間、補助光発光部が微小発光をする。【選択図】図６
2008032965.tif 000002
【特許請求の範囲】
【請求項１】
レリーズボタンの操作に遅れてシャッタが作動して撮影が行われるセルフタイマー機能を有した撮影装置において、
被撮影者に対して発光をする発光部と、この発光部の発光を制御する制御手段とを備え、
前記セルフタイマー機能を用いて撮影をするときに、それがノンフラッシュ撮影である場合には、前記制御手段は撮影完了直後に前記発光部の発光をさせることを特徴とする撮影装置。
【請求項２】
前記発光部は、ストロボであることを特徴とする請求項１記載の撮影装置。
【請求項３】
前記発光部は、補助光発光部であることを特徴とする請求項１記載の撮影装置。
【請求項４】
撮影完了直後の発光は、微小発光であることを特徴とする請求項１ないし３いずれか記載の撮影装置。
【請求項５】
レリーズボタンの操作に遅れてシャッタが作動して撮影が行われるセルフタイマー機能を有した撮影装置において、
被撮影者に対して発光をする発光部と、この発光部の発光を制御する制御手段とを備え、
前記セルフタイマー機能を用いて撮影をするときに、それがノンフラッシュ撮影である場合には、前記制御手段は前記シャッタの作動する所定時間前から撮影完了直後まで前記発光部の発光をさせることを特徴とする撮影装置。
【請求項６】
前記所定時間は、２秒であることを特徴とする請求項５記載の撮影装置。
【請求項７】
前記発光部の発光開始時期は、ユーザが設定することができることを特徴とする請求項５記載の撮影装置。
【請求項８】
前記シャッタの作動する所定時間前から撮影完了直後までの発光は、前記撮影に影響を及ぼさない程度の微小発光であることを特徴とする請求項５ないし７いずれか記載の撮影装置。
【発明の詳細な説明】
【技術分野】
【０００１】
本発明は、セルフタイマー機能を有した撮影装置に関する。
【背景技術】
【０００２】
デジタルカメラには、撮影者自身が被撮影者となることのできるセルフタイマー機能が設けられているものも多い。このセルフタイマー機能を用いて撮影をする場合、レリーズボタンを操作すると、予め設定された時間の経過後にシャッタが作動して撮影が行われる。しかしながら、セルフタイマー機能を用いての撮影は、レリーズボタンの操作から所定時間経過後に撮影が行われるので、撮影がいつ行われるのかを正確に把握することが難しく、被撮影者が体を動かして撮影に失敗することも考えられる。
【０００３】
このような点を解消するために、レリーズボタンの操作からシャッタが作動する直前までの時間にストロボを点滅させたり、シャッタの作動直前にフラッシュの微小発光をさせたりして撮影のタイミングを被撮影者に知らせる方法が知られている（特許文献１参照）。これらの方法を採用したデジタルカメラを用いて撮影をすれば、少なくともシャッタの作動を知らせる合図があるので、被撮影者は撮影のタイミングを知ることができ、撮影の失敗を防止することができる。
【特許文献１】特開２００４−２４０２９５号公報
【発明の開示】
【発明が解決しようとする課題】
【０００４】
しかしながら、シャッタの作動から撮影完了までにどれぐらいの時間が掛かるのかが分からないため、ノンフラッシュ撮影である場合、被撮影者は撮影完了を正確に把握することができず、撮影完了後もしばらく体を動かさずに待つことになる。よって、撮影完了を知ることができれば、撮影完了後に待たされるという不都合を解消することができる。
【０００５】
本発明は、上記課題を解決するためのものであり、セルフタイマー機能を用いて撮影をするときに、それがノンフラッシュ撮影であっても、被撮影者に対して撮影完了を知らせることのできる撮影装置を提供する。
【課題を解決するための手段】
【０００６】
上記目的を達成するために、本発明の撮影装置は、レリーズボタンの操作に遅れてシャッタが作動して撮影が行われるセルフタイマー機能を有した撮影装置であって、被撮影者に対して発光をする発光部と、この発光部の発光を制御する制御手段とを備え、セルフタイマー機能を用いて撮影をするときに、それがノンフラッシュ撮影である場合には、制御手段は撮影完了直後に発光部の発光をさせることを特徴とする。
【０００７】
なお、発光部はストロボであっても良い。
【０００８】
また、撮影完了直後の発光は、微小発光であることが好ましい。
【０００９】
または、本発明の撮影装置は、レリーズボタンの操作に遅れてシャッタが作動して撮影が行われるセルフタイマー機能を有した撮影装置であって、被撮影者に対して発光をする発光部と、この発光部の発光を制御する制御手段とを備え、セルフタイマー機能を用いて撮影をするときに、それがノンフラッシュ撮影である場合には、制御手段はシャッタの作動する所定時間前から撮影完了直後まで発光部の発光をさせることを特徴とする。
【００１０】
なお、所定時間は２秒であることが好ましい。
【００１１】
または、発光部の発光開始時期は、ユーザが設定することができることが好ましい。
【００１２】
また、シャッタの作動する所定時間前から撮影完了直後までの発光は、撮影に影響を及ぼさない程度の微小発光であることが好ましい。
【発明の効果】
【００１３】
本発明の撮影装置によれば、被撮影者に対して発光をする発光部と、この発光部の発光を制御する制御手段とを備え、セルフタイマー機能を用いて撮影をするときに、それがノンフラッシュ撮影である場合には、制御手段は撮影完了直後に発光部の発光をさせることより、被撮影者は撮影完了を知ることができ、撮影完了後すぐに体を動かすことができる。
【００１４】
また、発光部をストロボとすることで、部品点数を増加させることはなく、撮影装置の構造を複雑にすることはない。
【００１５】
また、撮影完了直後の発光が微小発光であるので、消費電力は少なくて済む。
【００１６】
または、本発明の撮影装置によれば、被撮影者に対して発光をする発光部と、この発光部の発光を制御する制御手段とを備え、セルフタイマー機能を用いて撮影をするときに、それがノンフラッシュ撮影である場合には、制御手段はシャッタの作動する所定時間前から撮影完了直後まで発光部の発光をさせることより、被撮影者はいつからいつまで体を動かしてはならないかを知ることができる。
【００１７】
また、所定時間が２秒であるので、万人に対応することができる。
【００１８】
または、発光部の発光開始時期は、ユーザが設定することができるので、被撮影者に応じた撮影が可能になる。具体的には、体を動かさずに待つことに集中のできない幼児が被撮影者となる場合には、所定時間を短く設定することができる。また、発光部が発光をしてから体を動かしてはならないと認識するまでに時間の掛かるお年寄りが被撮影者となる場合には、所定時間を長く設定することができる。
【発明を実施するための最良の形態】
【００１９】
以下、本発明の第１実施形態を適用したデジタルカメラ１１について図面を参照しながら説明する。図１（ａ）に示すように、デジタルカメラ１１のカメラボディ１２前面には、撮影レンズ１３、ストロボ１４及び補助光発光部（発光部）１５が設けられている。撮影レンズ１３は、撮影のためにカメラボディ１２内へと導光する。ストロボ１４は、撮影と同期して被写体に対して発光をし、暗い場所での撮影を可能にする。補助光発光部１５は、発光をすることで、被撮影者に各種合図を送る。カメラボディ１２上面には、電源ボタン１６及びレリーズボタン１７が設けられている。電源ボタン１６は、押圧することによって電源１８のＯＮ／ＯＦＦを切り替えることができる。レリーズボタン１７は、押圧することによって撮影の指示を入力することができる。
【００２０】
図１（ｂ）に示すように、カメラボディ１２背面には、ディスプレイ１９、操作部２０及び決定ボタン２３が設けられている。ディスプレイ１９は、固体撮像素子であるＣＣＤイメージセンサ２４（図２参照）によって撮像される画像を表示する表示手段であり、スルー画や、記録画像や、各種設定画面等を表示する。操作部２０は、十字キー２１と、十字キー２１の中央に配置されるメニューボタン２２と、決定ボタン２３とから構成される。メニューボタン２２は、押圧操作される構造となっており、ディスプレイ１９への各種設定画面の表示／非表示を切り替えるための手段として用いられる。十字キー２１は、上下左右のいずれかの縁部を押圧することによって、対応する４方向（上、下、左、右）の指示を入力でき、ディスプレイ１９に表示される各種設定画面のメニューを選択する手段として用いられる。決定ボタン２３は、押圧操作される構造となっており、十字キー２１によって選択されるメニューを決定する手段として用いられる。カメラボディ１２下面には、メモリカード２５（図２参照）を装着するためのカードスロット２６が設けられている。
【００２１】
デジタルカメラ１１の電気的構成を示すブロック図を図２に示す。デジタルカメラ１１は、ＣＰＵ（制御手段）２７によって各種回路が総括的に制御されている。ＣＰＵ２７には、ストロボ１４、補助光発光部１５、電源ボタン１６、レリーズボタン１７、ディスプレイ１９、操作部２０、カメラ部２８、ＲＡＭ２９及び信号処理部３０が接続されている。
【００２２】
カメラ部２８は、撮影レンズ１３、ＣＣＤイメージセンサ２４、アンプ３１、Ａ／Ｄ変換器３２、画像入力コントローラ３３、ＣＣＤドライバ３４、絞り機構３５、絞り駆動モータ３６及びドライバ３７から構成される。撮影レンズ１３の後方には、ＣＣＤイメージセンサ２４が配置されている。ＣＣＤイメージセンサ２４は、ＣＣＤドライバ３４に接続されており、ＣＣＤドライバ３４を介してＣＰＵ２７によって駆動が制御されている。また、ＣＣＤイメージセンサ２４は、光学的な被写体画像を電気的な撮像信号に変換して出力する。撮像信号はアンプ３１で適当なレベルに増幅された後、Ａ／Ｄ変換器３２によってデジタル変換されて画像入力コントローラ３３に画像データとして出力される。画像入力コントローラ３３は、Ａ／Ｄ変換器３２から出力された画像データをＲＡＭ２９に記憶させる。また、ＣＣＤイメージセンサ２４の前方には、絞り機構３５が配置されている。絞り機構３５は、絞り駆動モータ３６によってＦ値（絞り値）が切り替えられ、ＣＣＤイメージセンサ２４に入る光量を調整すると共に、シャッタとして機能する。絞り駆動モータ３６は、ドライバ３７に接続されており、このドライバ３７を介してＣＰＵ２７によって駆動が制御されている。
【００２３】
ＲＡＭ２９は、ＣＰＵ２７が処理を実行するために使用する作業用メモリである。信号処理部３０は、ＲＡＭ２９から画像データを読み出し、階調変換、ホワイトバランス補正、γ補正等の各種画像処理を施す。画像処理が施された画像データは、ディスプレイ１９にスルー画としてリアルタイムで表示される。
【００２４】
ところで、本発明はセルフタイマー機能に特徴がある。メニューボタン２２の押圧操作によってディスプレイ１９に表示される設定画面には、セルフタイマー機能のＯＮ／ＯＦＦを切り替えるためのセルフタイマー設定画面が含まれる。セルフタイマー機能がＯＦＦの状態では、レリーズボタン１７が押圧操作されると、それと同時にシャッタが開口して撮影が行われる。一方、セルフタイマー機能がＯＮの状態では、レリーズボタン１７が押圧操作されると、図３に示すように、その操作から所定時間（例えば、１０秒）遅れてシャッタが開口して撮影が行われる。この撮影が、撮影と同期してストロボ１４が発光をするフラッシュ撮影、ではないノンフラッシュ撮影である場合、撮影完了直後（例えば、０．２秒後）に補助光発光部１５が瞬間的に発光をする。なお、フラッシュ撮影とノンフラッシュ撮影の切り替えは、ディスプレイ１９に表示される設定画面を見ながらユーザが行っても良いし、測光情報に基づき自動的に行われるのでも良い。
【００２５】
以下、上記第１実施形態を適用したデジタルカメラ１１の作用について説明する。セルフタイマー機能を用いて撮影をする場合には、先ず、電源ボタン１６を押圧操作して電源１８をＯＮにする。電源がＯＮになると、ディスプレイ１９にスルー画が表示される。メニューボタン２２を押圧操作すると、ディスプレイ１９には、セルフタイマー設定画面その他の各種設定画面が表示される。ユーザは、セルフタイマー設定画面を見ながら、十字キー２１及び決定ボタン２３を押圧操作してセルフタイマー機能をＯＮにする。再度メニューボタン２２を押圧操作して、ディスプレイ１９にスルー画を表示させ、撮影が可能な状態にする。その後、レリーズボタン１７を押圧操作すると、図３に示すように、その操作から所定時間遅れてシャッタが開口して撮影が行われる。この撮影がノンフラッシュ撮影である場合、撮影完了直後に補助光発光部１５が瞬間的に発光をする。この発光によって、セルフタイマー機能を用いて撮影をするときに、それがノンフラッシュ撮影である場合であっても、被撮影者は撮影完了を知ることができる。
【００２６】
なお、上記第１実施形態を適用したデジタルカメラ１１では、補助光発光部１５が発光をする場合を例に説明したが、これに限定されるのではない。第２実施形態を適用したデジタルカメラ１１では、図４に示すように、撮影完了直後にストロボ１４が瞬間的に微小発光をする。なお、ストロボ１４の微小発光とは、フラッシュ撮影の際に同期して発光をする場合と比べて光量の少ない発光のことをいう。なお、その他の構成は、第１実施形態を適用したデジタルカメラ１１と同様であり、説明を省略する。
【００２７】
以下、上記第２実施形態を適用したデジタルカメラ１１の作用について説明する。セルフタイマー機能がＯＮの状態でレリーズボタン１７を押圧操作すると、図４に示すように、その操作から所定時間遅れてシャッタが開口して撮影が行われる。この撮影がノンフラッシュ撮影である場合、撮影完了直後にストロボ１４が瞬間的に微小発光をする。この発光によって、セルフタイマー機能を用いて撮影をするときに、それがノンフラッシュ撮影である場合であっても、被撮影者は撮影完了を知ることができる。また、微小発光であることより、消費電力は少なくて済む。
【００２８】
なお、上記第２実施形態において、ストロボ１４が微小発光をする場合を例に説明したが、フラッシュ撮影時における発光と同じ光量の発光であっても良い。
【００２９】
なお、上記第１及び第２実施形態を適用したデジタルカメラ１１では、補助光発光部１５又はストロボ１４が撮影完了直後に瞬間的に発光をする場合を例に説明したが、これに限定されるのではない。第３実施形態を適用したデジタルカメラ１１では、図５に示すように、シャッタが開口する２秒前から撮影完了直後（例えば、０．２秒後）までの所定期間、補助光発光部１５が微小発光をする。なお、補助光発光部１５の微小発光とは、撮影に影響を及ぼさない程度の光量で発光をすることをいう。なお、その他の構成は、第１及び第２実施形態を適用したデジタルカメラ１１と同様であり、説明を省略する。
【００３０】
以下、上記第３実施形態を適用したデジタルカメラ１１の作用について説明する。セルフタイマー機能がＯＮの状態でレリーズボタン１７を押圧操作すると、図５に示すように、その操作から所定時間遅れてシャッタが開口して撮影が行われる。この撮影がノンフラッシュ撮影である場合、シャッタが開口する２秒前から撮影完了直後までの所定期間、補助光発光部１５が微小発光をする。この発光により、被撮影者は、いつからいつまで体を動かしてはならないかを知ることができる。
【００３１】
なお、上記第３実施形態において、シャッタが開口する２秒前から補助光発光部１５が発光をする場合を例に説明したが、２秒前に限定されるのではない。第４実施形態を適用したデジタルカメラ１１では、ユーザは、セルフタイマー設定画面において補助光発光部１５の発光開始時期を指定することができる。図６に示すように、シャッタが開口する指定時間前から撮影完了直後までの所定期間、補助光発光部１５が微小発光をする。なお、その他の構成は、第１ないし第３実施形態を適用したデジタルカメラ１１と同様であり、説明を省略する。
【００３２】
以下、上記第４実施形態を適用したデジタルカメラ１１の作用について説明する。セルフタイマー機能がＯＮの状態でレリーズボタン１７を押圧操作すると、図６に示すように、その操作から所定時間遅れてシャッタが開口して撮影が行われる。この撮影がノンフラッシュ撮影である場合、シャッタが開口する指定時間前から撮影完了直後までの所定期間、補助光発光部１５が微小発光をする。発光開始時期をユーザが任意に変更することができるので、被撮影者が集中力のない幼児のときや、反応に時間の掛かるお年寄りのときにも、対応することができる。
【００３３】
なお、上記第１、第３、及び第４実施形態において、被写体に対して発光をする補助光発光部１５がカメラボディ１２の前面に設けられている場合を例に説明したが、これに限定されるのではなく、例えば、カメラボディ１２の上面や側面などに設けられていても良い。
【００３４】
また、上記各実施形態において、シャッタとして絞り機構３５を用いる場合を例に説明したが、これに限定されるのではなく、それ専用のシャッタ羽根を設け、それを用いても良い。
【００３５】
また、上記各実施形態において、デジタルカメラの場合を例に説明したが、これに限定されるのではなく、フィルムカメラその他の撮影装置であっても良い。
【図面の簡単な説明】
【００３６】
【図１】本発明を適用したデジタルカメラの外観斜視図である。
【図２】デジタルカメラの電気的構成を示すブロック図である。
【図３】第１実施形態のデジタルカメラにおけるシャッタ及び発光部のタイミングチャートである。
【図４】第２実施形態のデジタルカメラにおけるシャッタ及びストロボのタイミングチャートである。
【図５】第３実施形態のデジタルカメラにおけるシャッタ及び発光部のタイミングチャートである。
【図６】第４実施形態のデジタルカメラにおけるシャッタ及び発光部のタイミングチャートである。
【符号の説明】
【００３７】
１１  デジタルカメラ
１２  カメラボディ
１３  撮影レンズ
１４  ストロボ
１５  補助光発光部
１６  電源ボタン
１７  レリーズボタン
１８  電源
１９  ディスプレイ
２０  操作部
２１  十字キー
２２  メニューボタン
２３  決定ボタン
２４  ＣＣＤイメージセンサ
２５  メモリカード
２６  カードスロット
２７  ＣＰＵ
２８  カメラ部
２９  ＲＡＭ
３０  信号処理部
３１  アンプ
３２  Ａ／Ｄ変換器
３３  画像入力コントローラ
３４  ＣＣＤドライバ
３５  絞り機構
３６  絞り駆動モータ
３７  ドライバ
【図１】
2008032965.tif 000003
【図２】
2008032965.tif 000004
【図３】
2008032965.tif 000005
【図４】
2008032965.tif 000006
【図５】
2008032965.tif 000007
【図６】
2008032965.tif 000008